(57)【要約】【課題】直管形のＬＥＤランプを用いて上方及び下方に向けて光を照射するのに有利な照明器具を提供する。【解決手段】照明器具１０は、直管形のＬＥＤランプである第１ランプ１２と、第１ランプ１２に対して平行に配置される直管形のＬＥＤランプである第２ランプ１４と、天井から吊り下げられ、第１ランプ１２及び第２ランプ１４を収容する本体部１６とを備える。本体部１６は、それぞれ、第１ランプ１２又は第２ランプ１４の長手方向に沿って、鉛直方向の下方に対向する第１開口部２０ａと、鉛直方向の上方に対向する第２開口部２１ａとを有する。第１ランプ１２は、照射方向が第１開口部２０ａに向かうように配置される。第２ランプ１４は、照射方向が第２開口部２１ａに向かうように配置される。【選択図】図２
2019133752.tif 000002
【特許請求の範囲】
【請求項１】
直管形のＬＥＤランプである第１ランプと、
前記第１ランプに対して平行に配置される直管形のＬＥＤランプである第２ランプと、
天井から吊り下げられ、前記第１ランプ及び前記第２ランプを収容する本体部と、
を備え、
前記本体部は、それぞれ、前記第１ランプ又は前記第２ランプの長手方向に沿って、鉛直方向の下方に対向する第１開口部と、鉛直方向の上方に対向する第２開口部とを有し、
前記第１ランプは、照射方向が前記第１開口部に向かうように配置され、
前記第２ランプは、照射方向が前記第２開口部に向かうように配置される、
照明器具。
【請求項２】
前記第１ランプと前記第２ランプとは、水平面内で、長手方向とは垂直となる方向視で重なる、請求項１に記載の照明器具。
【請求項３】
前記第１ランプの長手方向の一部は、水平面内で、前記第１開口部の側端よりも、前記第２ランプに対向する側とは反対側にずれており、
前記第１ランプは、照射方向が前記第１開口部の開口面に対して斜めに入射する方向となるように配置される、
請求項１又は２に記載の照明器具。
【請求項４】
前記第２ランプの長手方向の一部は、水平面内で、前記第２開口部の側端よりも、前記第１ランプに対向する側とは反対側にずれており、
前記第２ランプは、照射方向が前記第２開口部の開口面に対して斜めに入射する方向となるように配置される、
請求項１又は２に記載の照明器具。
【請求項５】
前記本体部は、
前記第１開口部が形成されている下面板と、
前記下面板に内面同士で対向し、前記第２開口部が形成されている上面板と、
前記下面板と前記上面板とに長手方向に沿って連接する第１側面板と、
前記第１側面板に内面同士で対向し、前記下面板と前記上面板とに長手方向に沿って連接する第２側面板と、を有し、
前記下面板と前記上面板との間の厚さは、片手を前記第１側面板又は前記第２側面板のいずれかの側へ近づけたときに、前記片手の一の指を、前記第１開口部を通じて前記第１ランプ又は前記第２ランプのいずれかに接触可能とし、前記片手の他の指を、前記第２開口部を通じて同一の前記第１ランプ又は前記第２ランプに接触可能とする寸法を有する、
請求項１乃至４のいずれか１項に記載の照明器具。
【請求項６】
前記本体部は、一対の前記第１ランプ及び前記第２ランプを直列に複数配置する、請求項１乃至５のいずれか１項に記載の照明器具。
【発明の詳細な説明】
【技術分野】
【０００１】
本開示は、照明器具に関する。
【背景技術】
【０００２】
従来、２つの直管形のＬＥＤ（発光ダイオード）ランプや、それぞれ直線状に配置されたＬＥＤ光源を複数含む２つの長方形状の光源モジュールなどを互いに平行に配置した吊り下げ式の照明器具がある。特許文献１は、互いに平行に配置された２つの光源モジュールを有する照明器具を開示している。この照明器具によれば、長手方向に延びる軸に垂直な平面内で、それぞれの光源モジュールのなす配光角度を変更することができる。
【先行技術文献】
【特許文献】
【０００３】
【特許文献１】特開２０１４−１２０４１５号公報
【発明の概要】
【発明が解決しようとする課題】
【０００４】
特許文献１に開示されている照明器具では、光の照射方向が器具本体から下方に向かう範囲すなわち床面側に向かう範囲で配光角度が可変であるが、器具本体から上方に向かう範囲すなわち天井側に向けては、光を照射することができない。
【０００５】
本開示は、このような従来技術の有する課題に鑑みてなされたものである。そして、本開示の目的は、直管形のＬＥＤランプを用いて上方及び下方に向けて光を照射するのに有利な照明器具を提供することにある。
【課題を解決するための手段】
【０００６】
上記課題を解決するために、本開示の態様における照明器具は、直管形のＬＥＤランプである第１ランプと、第１ランプに対して平行に配置される直管形のＬＥＤランプである第２ランプと、天井から吊り下げられ、第１ランプ及び第２ランプを収容する本体部と、を備え、本体部は、それぞれ、第１ランプ又は第２ランプの長手方向に沿って、鉛直方向の下方に対向する第１開口部と、鉛直方向の上方に対向する第２開口部とを有し、第１ランプは、照射方向が第１開口部に向かうように配置され、第２ランプは、照射方向が第２開口部に向かうように配置される。
【発明の効果】
【０００７】
本開示によれば、直管形のＬＥＤランプを用いて上方及び下方に向けて光を照射するのに有利な照明器具を提供することができる。
【図面の簡単な説明】
【０００８】
【図１】一実施形態に係る照明器具の構成を示す図である。
【図２】図１に示す照明器具のＩＩ−ＩＩ断面を示す図である。
【図３】図１に示す照明器具のＩＩＩ−ＩＩＩ断面を示す図である。
【図４】第１ランプ及び第２ランプの他の配置例を説明するための図である。
【図５】第１ランプ及び第２ランプの他の配置例を説明するための図である。
【発明を実施するための形態】
【０００９】
以下、実施形態について図面を参照しつつ詳細に説明する。以下の説明では、鉛直方向をＺ方向と規定する。Ｚ方向に対して垂直となる平面内で互いに垂直となる２方向をＸ方向及びＹ方向と規定する。このうち、Ｘ方向を照明器具の長手方向とする。Ｙ方向を照明器具の幅方向とする。また、以下、Ｚ方向について、天井側を「上」と表現し、床面側を「下」と表現とする場合もある。
【００１０】
図１は、一実施形態に係る照明器具１０の構成を示す斜視図である。図１（ａ）は、床面側から見た図である。図１（ｂ）は、天井側から見た図である。なお、図１では、天井を不図示とする。
【００１１】
照明器具１０は、天井から吊り下げられる方式の照明器具である。照明器具１０は、第１ランプ１２と、第２ランプ１４と、本体部１６と、電源ユニット１８とを備える。
【００１２】
第１ランプ１２及び第２ランプ１４は、それぞれ、規格化された直管形のＬＥＤランプである。これらのＬＥＤランプとしては、例えば、一般社団法人日本照明工業会において規格化されているＪＥＬ８０１「Ｌ形ピン口金ＧＸ１６ｔ−５付直管ＬＥＤランプシステム」が適用される。ＬＥＤランプの一方である第１ランプ１２と、ＬＥＤランプの他方である第２ランプ１４とは、互いに平行に配置される。なお、図１では、第１ランプ１２又は第２ランプ１４を接続するソケットは不図示である。
【００１３】
本体部１６は、第１ランプ１２及び第２ランプ１４、並びに、電源ユニット１８を内部に収容する。本体部１６は、例えば金属ワイヤー９０により天井から吊り下げられる。なお、図１では、本体部１６に金属ワイヤー９０を連結させる連結金具等は不図示である。本体部１６は、下面板２０と、上面板２１と、第１側面板２２と、第２側面板２３と、第１側端板２４（図２参照）と、第２側端板（不図示）とを含む。
【００１４】
下面板２０は、第１ランプ１２及び第２ランプ１４の長手方向に沿ってＸ方向に延び、外面が床面側に向かう平板部である。下面板２０は、鉛直方向の下方に対向する第１開口部２０ａを有する。第１開口部２０ａは、例えば、後述する第１側端板２４と第２側端板とのそれぞれの近傍を両先端部としてＸ方向に延びる１つのスリットである。第１開口部２０ａのＸ方向の長さは、第１ランプ１２又は第２ランプ１４の長さよりも長い。
【００１５】
上面板２１は、第１ランプ１２及び第２ランプ１４の長手方向に沿ってＸ方向に延び、外面が天井側に向かう平板部である。つまり、上面板２１と下面板２０とは、互いに内面同士で対向する。上面板２１は、鉛直方向の上方に対向する第２開口部２１ａを有する。第２開口部２１ａは、例えば、第１開口部２０ａと同様に、Ｘ方向に延びるスリットである。ただし、本実施形態では、上面板２１は、第１側端板２４と第２側端板とのそれぞれの近傍に、金属ワイヤー９０を取り付けるための平面部を要する。そのため、第２開口部２１ａのＸ方向全体の長さは、当該両平面部を除いた長さとなり、例えば、第１開口部２０ａのＸ方向の長さよりも短く、おおよそ第１ランプ１２及び第２ランプ１４の長さと同等でもよい。また、第２開口部２１ａは、Ｘ方向に伸びる一直線上に並ぶ複数のスリットとしてもよい。本実施形態では、第２開口部２１ａは、一例として４つのスリットで構成される。第２開口部２１ａをこのような形状とすることにより、例えば、本体部１６の強度の向上に有利となる。
【００１６】
第１側面板２２及び第２側面板２３は、それぞれ、第１ランプ１２及び第２ランプ１４の長手方向に沿ってＸ方向に延び、下面板２０と上面板２１とに滑らかに連接する曲板部である。第１側面板２２と第２側面板２３とは、Ｙ方向で、互いに内面同士で対向する。
【００１７】
第１側端板２４及び第２側端板は、それぞれ、ＹＺ平面と平行となり、下面板２０、上面板２１、第１側面板２２及び第２側面板２３のＸ方向プラス側又はマイナス側の先端部を覆う平板部である。第１側端板２４と第２側端板とは、Ｘ方向で、互いに内面同士で対向する。
【００１８】
本体部１６に含まれる上記の各板は、例えば鋼材である。鋼材は、照明器具１０の設置時の強度を確保し、かつ、軽量化の実現を考慮して、厚さが決定される。また、各板の内面には、本体部１６の内部での光の反射を促進させるために、白色粉末塗装が施されていてもよい。
【００１９】
次に、本体部１６内における第１ランプ１２及び第２ランプ１４の具体的配置について説明する。
【００２０】
図２は、ＺＹ平面内の第１ランプ１２及び第２ランプ１４の配置を示す照明器具１０の断面図である。図２では、図１中のＩＩ−ＩＩ断面を示しており、具体的には、Ｘ方向プラス側から見た第１ランプ１２及び第２ランプ１４のそれぞれの側面が描画されている。
【００２１】
本体部１６の断面形状は、Ｙ方向については、第１中心線ＬＮ１を基準として、おおよそ均等である。同様に、本体部１６の断面形状は、Ｚ方向については、第２中心線ＬＮ２を基準として、おおよそ均等である。特に、第１側面板２２及び第２側面板２３の曲断面形状は、それぞれ、第２中心線ＬＮ上の一点を基準として、半径Ｒ１の半円状である。以下、本体部１６全体の寸法として、Ｙ方向の幅をＷ１とし、Ｚ方向の厚さをＨ１と、それぞれ規定する。
【００２２】
本体部１６は、その内部に、第１ランプ１２用の第１ソケット３２と、第２ランプ１４用の第２ソケット３４とを備える。第１ソケット３２及び第２ソケット３４は、上記例示した第１ランプ１２及び第２ランプ１４の規格に適合したソケットである。第１ソケット３２及び第２ソケット３４は、それぞれ、第１ランプ１２又は第２ランプ１４のいずれかの端部を接続する２つのソケットを含む。このうち、一方が接地側ソケットであり、他方が給電側ソケットである。本実施形態では、図２に示すＸ方向プラス側のソケットが給電側ソケットである。なお、図２では、第１ソケット３２及び第２ソケット３４の形状を概略的に示している。
【００２３】
ここで、本実施形態では、一例として、第１ランプ１２及び第２ランプ１４が、上記例示した規格ＪＥＬ８０１に準拠した直管ＬＥＤランプであるものとする。この場合、直管ＬＥＤランプの管径は、おおよそ２５．５ｍｍである。そして、第１ソケット３２及び第２ソケット３４も、上記規格に準拠した直管ＬＥＤランプに適合したものとする。
【００２４】
本体部１６の断面寸法は、少なくとも、上記規格に準拠した形状の第１ランプ１２及び第２ランプ１４を互いに平行に配置し得るものとして決定される。特に、厚さＨ１を薄くするために、第１ソケット３２と第２ソケット３４とは、互いにおおよそＹ方向に沿って並んで配置される。第１ソケット３２の軸中心ＡＸ１と第２ソケット３４の軸中心ＡＸ２とは、Ｙ方向に沿って、第１中心線ＬＮ１を基準として対称に位置し、距離Ｌ１だけ離間している。なお、第１ソケット３２の軸中心ＡＸ１は、接続される第１ランプ１２の軸中心と同義である。同様に、第２ソケット３４の軸中心ＡＸ２は、接続される第２ランプ１４の軸中心と同義である。
【００２５】
また、以下、下面板２０に形成されている第１開口部２０ａのＹ方向の幅をＷ２と規定する。同様に、上面板２１に形成されている第２開口部２１ａのＹ方向の幅をＷ３と規定する。ここで、第１開口部２０ａは、第１ランプ１２及び第２ランプ１４を第１ソケット３２又は第２ソケット３４に取り付けたり、第１ソケット３２又は第２ソケット３４から取り外したりするときの第１ランプ１２及び第２ランプ１４の通過領域となる。そこで、第１開口部２０ａの幅Ｗ２は、少なくとも、第１ランプ１２又は第２ランプ１４の管径よりも大きい。
【００２６】
また、「第１ランプ１２及び第２ランプ１４が互いに平行」とは、必ずしも水平方向に並ぶことのみを厳密に意味するものではない。例えば、図２に示すように、第１ソケット３２の軸中心ＡＸ１と第２ソケット３４の軸中心ＡＸ２とは、Ｚ方向に沿って、距離Ｌ２だけ離間していてもよい。具体的には、第１ソケット３２の軸中心ＡＸ１と第２ソケット３４の軸中心ＡＸ２とは、第１ランプ１２と第２ランプ１４とが、水平面内で、長手方向とは垂直となる方向視で重なる程度に離れることまで許容され得る。
【００２７】
また、第１ソケット３２は、接続している第１ランプ１２の照射方向が第１開口部２０ａに向かうように配置される。一方、第２ソケット３４は、接続している第２ランプ１４の照射方向が第２開口部２１ａに向かうように配置される。
【００２８】
ここで、第１開口部２０ａのＹ方向の幅Ｗ２と、第２開口部２１ａのＹ方向の幅Ｗ３とは、本体部１６の全体としての大きさをコンパクトにするために、それぞれ必要以上に広い寸法とするのは望ましくない。そこで、第１ソケット３２は、水平面内で、接続している第１ランプ１２の外周の一部が、第１開口部２０ａの側端よりも距離Ｌ３だけ第１側面板２２側、すなわち第２ランプ１４に対向する側とは反対側にずれるように配置される。しかし、第１ランプ１２の照射方向が、真下に向かう方向、すなわち、第１開口部２０ａの開口面に対して垂直に向かう方向である場合には、照射領域の一部が下面板２０で遮られる。そこで、第１ソケット３２は、接続している第１ランプ１２の光軸が、第１中心線ＬＮ１側に、Ｚ方向に対して角度θ１で傾くように配置される。図２では、一例として、第１ランプ１２の照射方向を矢印で示し、第１ランプ１２の照射光を、強調された破線で示している。このように第１ソケット３２を傾けることで、第１ランプ１２の照射光のほぼすべてが、第１開口部２０ａに向かい、第１開口部２０ａから外部に照射される。
【００２９】
同様に、第２ソケット３４は、水平面内で、接続している第２ランプ１４の外周の一部が、第２開口部２１ａの側端よりも距離Ｌ４だけ第２側面板２３側、すなわち第１ランプ１２に対向する側とは反対側にずれるように配置される。ここでも、第２ランプ１４の照射方向が、真上に向かう方向、すなわち、第２開口部２１ａの開口面に対して垂直に向かう方向である場合には、照射領域の一部が上面板２１で遮られる。そこで、第２ソケット３４は、接続している第２ランプ１４の光軸が、第１中心線ＬＮ１側に、Ｚ方向に対して角度θ２で傾くように配置される。図２では、一例として、第２ランプ１４の照射方向を矢印で示し、第２ランプ１４の照射光を、強調された破線で示している。このように第２ソケット３４を傾けることで、第２ランプ１４の照射光のほぼすべてが、第２開口部２１ａに向かい、第２開口部２１ａから外部に照射される。
【００３０】
なお、第１ソケット３２及び第２ソケット３４は、第１ランプ１２又は第２ランプ１４をＺ方向に対して傾斜して接続可能するため、不図示であるが、軸方向に回転可能とする回転機構や、Ｙ方向又はＺ方向に移動可能とする移動機構などを有してもよい。
【００３１】
上記のような各種の条件を満たすために、本体部１６、第１ソケット３２及び第２ソケット３４に関する各種の寸法は、例えば、以下のように決定してもよい。まず、第１ソケット３２及び第２ソケット３４に関して、距離Ｌ１を３５ｍｍ、距離Ｌ２を７．５ｍｍとしてもよい。ここで、距離Ｌ２に関して、図２に示すように、第１ソケット３２の軸中心ＡＸ１と第２ソケット３４の軸中心ＡＸ２とは、Ｚ方向について、第１中心線ＬＮ１を基準として、必ずしも対称でなくてもよい。距離Ｌ２は、例えば、第１開口部２０ａの幅Ｗ２又は第２開口部２１ａの幅Ｗ３の寸法に基づいて、第１ランプ１２の照射光又は第２ランプ１４の照射光が、遮られることなく第１開口部２０ａ又は第２開口部２１ａに向かうことができる寸法としてよい。
【００３２】
また、本体部１６に関して、幅Ｗ１を１２０ｍｍ、厚さＨ１を５０ｍｍ、及び、半径Ｒ１を２５ｍｍとしてもよい。この場合、第１開口部２０ａの幅Ｗ２を５５ｍｍ、第２開口部２１ａの幅Ｗ３を５０ｍｍとしてもよい。
【００３３】
図３は、ＺＹ平面内の電源ユニット１８の配置を示す照明器具１０の断面図である。図３では、図１中のＩＩＩ−ＩＩＩ断面を示しており、具体的には、Ｘ方向プラス側から見た電源ユニット１８の断面が描画されている。なお、図３では、電源ユニット１８の奥側に相当するＸ方向マイナス側に存在する第１ランプ１２及び第２ランプ１４を、それぞれ二点鎖線で示している。
【００３４】
図４は、第１ランプ１２及び第２ランプ１４の他の配置例を説明するための断面図である。なお、図４は、図２に記載の照明器具１０に対応しており、便宜上、同一構成には同一の符号を付す。
【００３５】
上記説明では、第１ランプ１２が第１開口部２０ａに向かうように、一方、第２ランプ１４が第２開口部２１ａに向かうように、それぞれ本体部１６内に配置される。しかし、これとは反対に、図４に示すように、第１ランプ１２が第２開口部２１ａに向かい、第２ランプ１４が第１開口部２０ａに向かうものとしてもよい。
【００３６】
また、上記説明では、第１ランプ１２及び第２ランプ１４の各照射光が、本体部１６に遮られることなく、第１開口部２０ａ又は第２開口部２１ａに向かう。しかし、第１ランプ１２又は第２ランプ１４の直接的な光の照射量を抑えてもよい場合には、図４に示すように、第１ランプ１２及び第２ランプ１４の各照射光の一部が本体部１６で遮られるものとしてもよい。この場合、第１ソケット３２の軸中心ＡＸ１と第２ソケット３４の軸中心ＡＸ２とは、Ｙ方向に沿って、距離Ｌ１よりも長い距離Ｌ５だけ離間するものとしてもよい。又は、この場合、第１ソケット３２の軸中心ＡＸ１と第２ソケット３４の軸中心ＡＸ２とは、Ｚ方向に沿って離間せず、水平方向で平行となってもよい。
【００３７】
電源ユニット１８は、第１ソケット３２及び第２ソケット３４に通電するに際して、交流電流を直流電流に変換する。電源ユニット１８は、図１に示すように、本体部１６の内部で、かつ、第１ソケット３２及び第２ソケット３４の給電側ソケットに隣り合う空間に設置させる。電源ユニット１８は、例えば、図３に示すように、上面板２１の内面の一部に固定された取り付け金具１９を介して本体部１６に固定される。また、電源ユニット１８の形状は、取り付け金具１９への取り付けを容易にするために、第１開口部２０ａを通過可能な形状とする。具体的には、電源ユニット１８の幅Ｗ４又は高さＨ２は、第１開口部２０ａの幅Ｗ２よりも小さい。このような構成によれば、電源ユニット１８を本体部１６内の給電ソケット側の空間に収納することができるので、本体部１６の厚さＨ１の増加を抑えることができる。
【００３８】
ここで、電源ユニット１８を本体部１６の内部に設置したとき、そのままでは、第１開口部２０ａを通じて、床面側から電源ユニット１８が視認され、外観上、望ましくない。そこで、図１及び図３に示すように、本体部１６は、電源ユニット１８の設置位置に対応した第１開口部２０ａの一方の端部を覆う第１下面カバー３０を備えてもよい。これに併せて、本体部１６は、図１に示すように、第１開口部２０ａの他方の端部を覆う第２下面カバー３１を備えてもよい。
【００３９】
次に、照明器具１０の作用及び効果について説明する。
【００４０】
まず、照明器具１０は、直管形のＬＥＤランプである第１ランプ１２と、第１ランプ１２に対して平行に配置される直管形のＬＥＤランプである第２ランプ１４と、天井から吊り下げられ、第１ランプ１２及び第２ランプ１４を収容する本体部１６とを備える。本体部１６は、それぞれ、第１ランプ１２又は第２ランプ１４の長手方向に沿って、鉛直方向の下方に対向する第１開口部２０ａと、鉛直方向の上方に対向する第２開口部２１ａとを有する。第１ランプ１２は、照射方向が第１開口部２０ａに向かうように配置され、第２ランプ１４は、照射方向が第２開口部２１ａに向かうように配置される。
【００４１】
このような照明器具１０によれば、直管形のＬＥＤランプを用いて、床面側である鉛直方向の下方に向けてのみならず、天井側である鉛直方向の上方に向けても光を照射することができる。また、照明器具１０は、上記構成の他に反射板等を用いないので、全体としてコンパクトな大きさとなる。さらに、照明器具１０は、直管形のＬＥＤランプの光を上方及び下方の双方に直接的に照射するので、特に上方を明るく照らすことができる。
【００４２】
また、照明器具１０では、第１ランプ１２と第２ランプ１４とは、水平面内で、長手方向とは垂直となる方向視で重なるものとしてもよい。
【００４３】
このような照明器具１０によれば、特に本体部１６の厚さＨ１の増加を抑えることができる。
【００４４】
また、照明器具１０では、第１ランプ１２の長手方向の一部は、水平面内で、第１開口部２０ａの側端よりも、第２ランプ１４に対向する側とは反対側にずれていてもよい。この場合、第１ランプ１２は、照射方向が第１開口部２０ａの開口面に対して斜めに入射する方向となるように配置されてもよい。
【００４５】
このような照明器具１０によれば、照射方向が第１開口部２０ａの開口面に対して垂直に入射する場合よりも、第１開口部２０ａの幅Ｗ２を小さくすることができる。また、第１開口部２０ａの幅Ｗ２を小さくすることができるということは、結果として、本体部１６の幅Ｗ１も小さくすることができる。
【００４６】
同様に、照明器具１０では、第２ランプ１４の長手方向の一部は、水平面内で、第２開口部２１ａの側端よりも、第１ランプ１２に対向する側とは反対側にずれていてもよい。この場合、第２ランプ１４は、照射方向が第２開口部２１ａの開口面に対して斜めに入射する方向となるように配置されてもよい。
【００４７】
このような照明器具１０によれば、照射方向が第２開口部２１ａの開口面に対して垂直に入射する場合よりも、第２開口部２１ａの幅Ｗ３を小さくすることができる。したがって、上記の第１開口部２０ａの幅Ｗ２を小さくすることと合わせることで、照明器具１０は、全体として、よりコンパクトな大きさとなる。
【００４８】
また、照明器具１０では、本体部１６は、第１開口部２０ａが形成されている下面板２０と、下面板２０に内面同士で対向し、第２開口部２１ａが形成されている上面板２１とを有する。また、本体部１６は、下面板２０と上面板２１とに長手方向に沿って連接する第１側面板２２と、第１側面板２２に内面同士で対向し、下面板２０と上面板２１とに長手方向に沿って連接する第２側面板２３とを有する。ここで、例えば、第１ランプ１２又は第２ランプ１４の本体部１６への設置時に、片手を第１側面板２２又は第２側面板２３のいずれかの側へ近づけたと想定する。このとき、下面板２０と上面板２１との間の厚さＨ１は、片手の一の指を、第１開口部２０ａを通じて第１ランプ１２又は第２ランプ１４のいずれかに接触可能とする寸法を有するものとしてもよい。同時に、厚さＨ１は、片手の他の指を、第２開口部２１ａを通じて同一の第１ランプ１２又は第２ランプ１４に接触可能とする寸法を有するものとしてもよい。
【００４９】
一例として、作業者が、第１ランプ１２を本体部１６内の第１ソケット３２へ接続させる場合を考える。まず、上記例示のとおり、本体部１６の厚さＨ１が５０ｍｍであるものとする。このとき、作業者は、一旦、第１開口部２０ａを通じて第１ランプ１２を本体部１６内に挿入させる。次に、作業者は、片手を第１側面板２２に接触させた状態で、その片手の中指等を、第１開口部２０ａを通じて第１ランプ１２に接触させる。同時に、作業者は、その片手の親指等を、第２開口部２１ａを通じて第１ランプ１２に接触させる。つまり、このような照明器具１０によれば、作業者は、同時に上方と下方とから、本体部１６内にある第１ランプ１２を片手で押さえることができるので、第１ランプ１２を容易に第１ソケット３２に接続させることができる。このことは、第２ランプ１４を本体部１６内の第２ソケット３４に接続させる場合も同様である。
【００５０】
また、本実施形態では、第１側面板２２及び第２側面板２３の断面形状を、それぞれ、曲断面形状としている。この形状は、上記のように作業者が片手で本体部１６内の第１ランプ１２等を抑えようとするときに、指を極力伸ばすことができる点でも有利である。
【００５１】
なお、上記の実施形態では、本体部１６が一対の第１ランプ１２及び第２ランプ１４を収容する照明器具１０を例示した。しかし、本開示は、これに限定するものではなく、例えば、本体部が一対の第１ランプ１２及び第２ランプ１４を直列に複数配置するものとしてもよい。
【００５２】
図５は、一対の第１ランプ１２及び第２ランプ１４を直列に複数配置する照明器具５０を示す図である。図５（ａ）は、照明器具５０が有する本体部５６を天井側すなわちＺ方向上方から見た平面図である。図５（ｂ）は、本体部５６を床面側すなわちＺ方向下方から見た平面図である。なお、図５において、図１等に示す照明器具１０と同一構成のものには同一の符号を付し、説明を省略する。
【００５３】
本体部５６は、上記の本体部１６と同様に、下面板６０と、上面板６１とを含む。ただし、本体部５６は、互いに直列に配置された、一対の第１ランプ１２ａ及び第２ランプ１４ａと、一対の第１ランプ１２ｂ及び第２ランプ１４ｂとを収容する。
【００５４】
この場合、下面板６０は、一対の第１ランプ１２ａ及び第２ランプ１４ａと、一対の第１ランプ１２ｂ及び第２ランプ１４ｂとの双方の設置位置に連なる１つのスリットからなる第１開口部６０ａを有する。なお、本体部５６も、上記の第１下面カバー３０に相当する第１下面カバー７０や、上記の第２下面カバー３１に相当する第２下面カバー７１を有してもよい。また、第１開口部６０ａでは、一対の第１ランプ１２ａ及び第２ランプ１４ａと、一対の第１ランプ１２ｂ及び第２ランプ１４ｂとに挟まれる空間が存在する。そこで、本体部５６は、それらの間に設置するものとして、第３下面カバー７２を有してもよい。
【００５５】
一方、上面板６１は、それぞれ、一対の第１ランプ１２ａ及び第２ランプ１４ａ上にある４つのスリット群と、一対の第１ランプ１２ｂ及び第２ランプ１４ｂ上にある４つのスリット群とからなる２つの第２開口部６１ａを有する。
【００５６】
このような照明器具５０によれば、照明器具１０に比べて長手方向に長い構成であっても、上記の各効果を奏することができる。
【００５７】
なお、照明器具５０では、例えば、一対の第１ランプ１２ａ及び第２ランプ１４ａのうち、第１ランプ１２ａが、照射方向が第１開口部６０ａに向かうように配置され、第２ランプ１４ａが、照射方向が第２開口部６１ａに向かうように配置されるものとする。これに対して、一対の第１ランプ１２ｂ及び第２ランプ１４ｂのうち、第１ランプ１２ｂが、照射方向が第２開口部６１ａに向かうように配置され、第２ランプ１４ｂが、照射方向が第１開口部６０ａに向かうように配置されるものとするような変形も可能となる。
【００５８】
以上、好ましい実施形態について説明したが、本実施形態は、これ限定されず、その要旨の範囲内で種々の変形及び変更が可能である。
【符号の説明】
【００５９】
１０    照明器具
１２    第１ランプ
１４    第２ランプ
１６    本体部
２０    下面板
２０ａ  第１開口部
２１    上面板
２１ａ  第２開口部
２２    第１側面板
２３    第２側面板
【図１】
2019133752.tif 000003
【図２】
2019133752.tif 000004
【図３】
2019133752.tif 000005
【図４】
2019133752.tif 000006
【図５】
2019133752.tif 000007